(57)【特許請求の範囲】
【請求項１】
略矩形板状をなす底壁構成部と、
前記底壁構成部の各側辺部から上方に延びる側壁部とを備える容器において、
前記側壁部の上辺部に設けられる上支持部と、
前記上支持部よりも下方、かつ、前記底壁構成部の下面よりも上方位置に設けられ、容器同士を積み重ねた場合に、下側の容器の前記上支持部の上面に当接して支持される下支持部とを備え、
容器同士を積み重ねた場合に、上側の容器の前記底壁構成部のうち少なくとも下面を含む部位が、下側の容器の前記側壁部の内周側に進入するよう構成されるとともに、
前記下支持部から下方に突出する底壁突部と、
前記上支持部において上方に開口するようにして形成され、容器同士を積み重ねた場合に、上側の容器の前記底壁突部が収容される収容凹部とを備える構成であって、
前記収容凹部のうち少なくとも１つは、前記上支持部のうち前記収容凹部の形成されていない部位である一般部から、当該一般部の下方に進入するようにして、当該収容凹部が形成された前記側壁部の横幅方向において下方傾斜する傾斜面により構成される係止部を有する嵌合凹部として構成され、
容器同士を積み重ねた場合に、下側の容器の前記嵌合凹部に収容される前記底壁突部は、前記係止部と当接可能な被係止部を有する嵌合凸部として構成され、
前記底壁構成部の中央部及びコーナー部の位置を一致させるようにして容器同士を積み重ねた場合に、下側の容器の前記嵌合凹部の前記係止部と、上側の容器の前記嵌合凸部の前記被係止部とが、上下に重ならないように相対配置され、
前記底壁構成部は、略矩形板状をなす底壁部と、前記底壁部の各側辺部に沿ってそれぞれ上方に突出する土台部と、前記底壁部のうち上面側において前記土台部が形成されている土台形成範囲よりも内周側の部位の下面から下方に突出する支持リブとを備え、
前記側壁部は、前記各土台部に対してそれぞれ前記土台部の上方に立設される起立位置と、前記底壁部の上方に畳まれる寝かせ位置との間を回動可能に連結され、
前記底壁突部は、前記土台形成範囲において前記底壁部の下面から下方に突出し、
全ての前記側壁部が前記起立位置とされた組立状態にある容器同士を積み重ねた場合に、
上側の容器の前記土台形成範囲における前記底壁部の下面が、下側の容器の前記側壁部の上辺部に支持され、
上側の容器の前記支持リブが、下側の容器の前記側壁部の内周側に進入するとともに、
上側に重ねられた容器の前記底壁突部が、下側の容器の前記側壁部の上辺部に形成された前記収容凹部に収容されることを特徴とする容器。
【請求項２】
前記嵌合凹部は、前記側壁部の側辺部近傍部位に形成されていることを特徴とする請求項１に記載の容器。
【発明の詳細な説明】
【技術分野】
【０００１】
本発明は、物品の運搬等に使用される容器に関するものである。
【背景技術】
【０００２】
従来、物品の運搬等に使用される箱型の容器は、略矩形状の底壁構成部と、底壁構成部の側辺部から上方に延びる側壁部とを備えており、上方の開口部から物品を出し入れする構成となっている。また、一般に、図１７に示すように、容器９１同士を上下に積み重ねた場合（段積みした場合）には、上側の容器９１の底壁構成部９２の少なくとも下面を含む部位が、下側の容器９２の側壁部９３の内周側に進入する（略嵌合する）。これにより、下側の容器９１に対する上側の容器９１の水平方向における位置ずれが防止されるように構成されている（例えば、特許文献１等参照。）。
【先行技術文献】
【特許文献】
【０００３】
【特許文献１】実用新案登録第２５７３２６８号公報
【発明の概要】
【発明が解決しようとする課題】
【０００４】
ところで、図１８に示すように、容器９１同士を積み重ねた段積み状態のまま、ローラコンベア等の運搬装置９５に載せて運搬する場合等において、下側の容器９１が運搬装置９５のストッパ９６に突き当たることで停止させられる場合がある。この場合、上記のように、上側の容器９１の下部が、下側の容器９１の内側に略嵌合していても、上側の容器９１に作用する慣性力によって、上側の容器９１が、下側の容器９１の前方に飛び出すようにして、容器９１の段積み状態が崩れてしまうことが懸念される。特に、図のように運搬装置９５のラインが傾斜している場合には、かかる懸念がより顕著なものとなる。
【０００５】
本発明は、上記例示した問題点等を解決するためになされたものであって、その目的は、段積み状態の安定化を図ることのできる容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．略矩形板状をなす底壁構成部と、
前記底壁構成部の各側辺部から上方に延びる側壁部とを備える容器において、
前記側壁部の上辺部に設けられる上支持部と、
前記上支持部よりも下方、かつ、前記底壁構成部の下面よりも上方位置に設けられ、容器同士を積み重ねた場合に、下側の容器の前記上支持部の上面に当接して支持される下支持部とを備え、
容器同士を積み重ねた場合に、上側の容器の前記底壁構成部のうち少なくとも下面を含む部位が、下側の容器の前記側壁部の内周側に進入するよう構成されるとともに、
前記下支持部から下方に突出する底壁突部と、
前記上支持部において上方に開口するようにして形成され、容器同士を積み重ねた場合に、上側の容器の前記底壁突部が収容される収容凹部とを備える構成であって、
前記収容凹部のうち少なくとも１つは、前記上支持部のうち前記収容凹部の形成されていない部位である一般部から、当該一般部の下方に進入するようにして、当該収容凹部が形成された前記側壁部の横幅方向において下方傾斜する傾斜面により構成される係止部を有する嵌合凹部として構成され、
容器同士を積み重ねた場合に、下側の容器の前記嵌合凹部に収容される前記底壁突部は、前記係止部と当接可能な被係止部を有する嵌合凸部として構成され、
前記底壁構成部の中央部及びコーナー部の位置を一致させるようにして容器同士を積み重ねた場合に、下側の容器の前記嵌合凹部の前記係止部と、上側の容器の前記嵌合凸部の前記被係止部とが、上下に重ならないように相対配置され、
前記底壁構成部は、略矩形板状をなす底壁部と、前記底壁部の各側辺部に沿ってそれぞれ上方に突出する土台部と、前記底壁部のうち上面側において前記土台部が形成されている土台形成範囲よりも内周側の部位の下面から下方に突出する支持リブとを備え、
前記側壁部は、前記各土台部に対してそれぞれ前記土台部の上方に立設される起立位置と、前記底壁部の上方に畳まれる寝かせ位置との間を回動可能に連結され、
前記底壁突部は、前記土台形成範囲において前記底壁部の下面から下方に突出し、
全ての前記側壁部が前記起立位置とされた組立状態にある容器同士を積み重ねた場合に、
上側の容器の前記土台形成範囲における前記底壁部の下面が、下側の容器の前記側壁部の上辺部に支持され、
上側の容器の前記支持リブが、下側の容器の前記側壁部の内周側に進入するとともに、
上側に重ねられた容器の前記底壁突部が、下側の容器の前記側壁部の上辺部に形成された前記収容凹部に収容されることを特徴とする容器。
【０００８】
手段１によれば、例えば、積み重ねられた（段積みされた）容器のうち、下側の容器を動かないように押さえたまま、上側の容器を横方向に変位させようとした（側方に引っ張る等した）場合、上側の容器の嵌合凸部の被係止部が、下側の容器の嵌合凹部の係止部（傾斜面）の下方に潜り込むようにして変位し、当該係止部に当接して係止されることとなる。このように、被係止部が係止部に係止されることにより、被係止部の横方向への相対変位だけでなく、上方向への相対変位についても規制されることとなる。従って、上側の容器の底壁突部、及び、底壁構成部の下面が、下側の容器の収容凹部、及び、側壁部内周側から抜け出すような、下側の容器に対する上側の容器の相対変位（浮き上がり）を防止することができる。このため、例えば、段積み状態の容器を、ローラコンベアやベルトコンベア等の運搬装置に載せて運搬する場合等において、下側の容器が運搬装置のストッパに突き当たる等した場合に、上側の容器に作用する慣性力によって上側の容器が、下側の容器の前方に飛び出すようにして、容器の段積み状態が崩れてしまうといった事態を防止することができる。結果として、容器の段積み状態の安定化を図ることができ、段積みされた容器、ひいては、容器に収容された物品を運搬する際の安全性の向上や、運搬作業性の向上等を図ることができる。
【０００９】
さらに、係止部は傾斜面によって構成されているため、容器の段積み状態を解除するべく、上側の容器を持ち上げた場合に、係止部と、被係止部とが当接した状態でも、被係止部が、係止部である傾斜面に案内されるようにして、嵌合凸部が嵌合凹部から抜け出す方向に相対移動することとなる。従って、例えば、係止部及び被係止部が鉤状に構成される場合のように、容器の段積み状態を解除する作業に際して、上側の容器を持ち上げた場合に、係止部と被係止部とが係止されていることで、下側の容器についても引っ掛かって持ち上げられてしまうといった事態を防止することができる。これにより、引っ掛けられた下側の容器がある程度持ち上げられた後、係止状態が解除されて落下してしまったり、或いは、係止部及び被係止部が下側の容器の重さを支えきれずに損傷してしまったりするといった事態を回避することができる。結果として、容器の段積み状態を解除する作業に際して、上側の容器を比較的スムースに持ち上げることができ、作業性の向上等を図ることができる。
【００１０】
尚、「前記嵌合凸部の前記被係止部は、前記係止部と面で当接可能に構成されていること（前記嵌合凸部の前記被係止部は、容器同士を積み重ねた場合に、下側の容器の前記嵌合凹部の前記係止部の傾斜面に対して、平行、又は、ほぼ平行して延びる傾斜面により構成されていること）」としてもよい。この場合、係止部が被係止部を面で支持することができ、係止部や被係止部の損傷等を防止し、より確実に位置ずれを防止することができる。
【００１１】
また、例えば、底壁構成部の中央部及びコーナー部の位置を一致させるようにして容器を段積みした場合に、下側の容器の係止部と、上側の容器の被係止部とが、上下に重なってしまう構成であると、容器の段積み作業に際して、容器の上側に積み重ねる容器を鉛直に下げるようにして載せるだけでは作業が終わらない。つまり、真っ直ぐに積み上げるためには、わざと横にずらして載せてからスライドさせなくてはならない。また、下側の容器の係止部と、上側の容器の被係止部とが干渉して、上側の容器の底壁構成部が、下側の側壁部の内周側に嵌り難くなってしまったりする。これに対し、本手段１によれば、上記のような不具合を回避することができる。さらには、容器の段積み作業に際して、係止部と、被係止部との接触を低減させることができる。従って、段積み作業性の向上、及び、損傷リスクの抑制等を図ることができる。
【００１２】
また、手段１によれば、容器の段積み状態において、下側の容器の嵌合凹部の係止部と、上側の容器の嵌合凸部の被係止部とが係止可能に構成され、段積みされた容器の横方向における所定長以上の位置ずれが防止されるといった構成が、折畳み式の容器に具体化される。この場合、例えば、組立状態にある容器の段積み状態において、上側の容器が下側の容器に対して横方向に相対変位するような力が作用した場合に、下側の容器の側壁部が、上側の容器の支持リブと当接するとともに、下側の容器の嵌合凹部の係止部が、上側の容器の嵌合凸部の被係止部と当接する。つまり、下側の容器の側壁部、及び、係止部が協働して、上側の容器の相対変位を規制することとなる。このため、例えば、下側の容器の側壁部だけで、上側の容器の横方向における相対変位を規制する構成に比べて、かかる下側の容器の側壁部の負担を軽減することができ、下側の容器の側壁部や、該側壁部の外側への変位（外倒れ）を防止する構成の損傷リスクの低減等を図ることができる。
【００１３】
さらに、係止部と被係止部とが係止可能な構成を具備することにより、容器を段積みした場合に、下側の容器の側壁部の内周側に進入する部位（支持リブ）の上下幅（高さ）を短くしても、段積みされた容器の横方向における所定長以上の位置ずれを確実に防止することができる。従って、全ての側壁部を寝かせ位置とした折畳み状態にある容器を段積みする場合に、支持リブの上下幅が長くなることに起因して、段積みされた複数の容器全体の高さが高くなってしまうといった事態を回避することができる。結果として、折畳み状態にある容器の運搬・保管効率の向上等を図ることができる。尚、本手段１では、底壁部のうち土台形成範囲に対応する部位が下支持部を構成し、側壁部の上辺部が上支持部を構成する。
【００１４】
手段２．前記嵌合凹部は、前記側壁部の側辺部近傍部位に形成されていることを特徴とする手段１に記載の容器。
【００１５】
手段２によれば、側壁部の横幅方向中央部に比べて、側壁部自体の変形が生じ難い側壁部の側辺部近傍部位に対し嵌合凹部を形成することによって、係止部と被係止部との係止状態の安定化等を図ることができる。
【図面の簡単な説明】
【００１６】
【図１】組立状態にある折畳み容器を上面側から見た斜視図である。
【図２】図１の部分拡大斜視図である。
【図３】図１の部分拡大斜視図である。
【図４】組立状態にある折畳み容器を下面側から見た斜視図である。
【図５】図４の部分拡大斜視図である。
【図６】折畳み状態にある折畳み容器を上面側から見た斜視図である。
【図７】組立状態にある折畳み容器を長辺側側壁部側から見た側面図である。
【図８】組立状態にある折畳み容器を短辺側側壁部側から見た側面図である。
【図９】組立状態にある折畳み容器が段積みされた状態を示す長辺側側壁部側の側面図である。
【図１０】図９の部分拡大側面図である。
【図１１】段積みされた折畳み容器の横方向における位置ずれが規制されることを説明するための長辺側側壁部側の側面図である。
【図１２】図１１の部分拡大側面図である。
【図１３】段積みされた折畳み容器の短辺側側壁部側の部分拡大側面図である。
【図１４】段積みされた折畳み容器の横方向における位置ずれが規制されることを説明するための短辺側側壁部側の部分拡大側面図である。
【図１５】折畳み状態にある折畳み容器が段積みされた状態を示す側面図である。
【図１６】別の実施形態における折畳み容器の側面図である。
【図１７】従来の容器の段積み状態を説明するための側面図である。
【図１８】従来の容器の段積み状態を説明するための側面図である。
【発明を実施するための形態】
【００１７】
以下に、一実施形態について図面を参照して説明する。図１、図４、図６〜図８等に示すように、折畳み容器１は、略矩形板状をなす底壁部３と、底壁部３の各長辺部に沿って底壁部３からそれぞれ上方に突出する長辺側土台部４と、底壁部３の各短辺部に沿って底壁部３からそれぞれ上方に突出する短辺側土台部５とを具備する底壁構成部２と、各長辺側土台部４に対してそれぞれ回動可能に設けられた長辺側側壁部６と、各短辺側土台部５に対してそれぞれ回動可能に設けられた短辺側側壁部７とを備えている。本実施形態では、底壁構成部２、長辺側側壁部６、及び、短辺側側壁部７は、ポリプロピレンにより構成されている。
【００１８】
長辺側側壁部６、及び、短辺側側壁部７は、それぞれ長辺側土台部４、及び、短辺側土台部５の上方に立設される起立位置（図１参照）と、底壁部３の上方に畳まれて、当該底壁部３とほぼ平行して延在する寝かせ位置（図６参照）との間を回動変位可能に構成されている。また、本実施形態では、長辺側土台部４の底壁部３からの突出長は、短辺側土台部５の底壁部３からの突出長よりも長くなっており、長辺側側壁部６を回動可能に支持するための長辺側軸受部８（図６参照）の形成位置も、短辺側側壁部７を回動可能に支持するための短辺側軸受部（図示略）の形成位置よりも上方に位置している。さらに、各短辺側土台部５は、相対する一対の長辺側土台部４の内面同士を連結するようにして設けられている。このため、本実施形態では、短辺側側壁部７を先に畳まないと、長辺側側壁部６を畳むことができないようになっている。そして、図６に示すように、全ての長辺側側壁部６、及び、短辺側側壁部７を寝かせ位置とした折畳み容器１の折畳み状態では、短辺側側壁部７が、底壁部３の上面に重なる（対面する）ようにして畳まれるとともに、長辺側側壁部６が、既に畳まれている短辺側側壁部７の上側に重なるようにして畳まれることとなる。
【００１９】
図１、図４、図７等に示すように、各長辺側側壁部６は、長辺側土台部４の長手方向における長さとほぼ同じ幅を有し、折畳み容器１が箱型に組立てられた組立状態において当該長辺側側壁部６の内面を構成する略平板状の長辺側ベース板１１と、長辺側ベース板１１の上辺部から外方に延出する長辺側上辺リブ１２と、長辺側ベース板１１の下辺部から外方に延出する長辺側下辺リブ１３と、長辺側下辺リブ１３の下面から下方に突出し、長辺側軸受部８に軸支される略Ｔ字状の長辺側ヒンジ部１４（図６参照）とを備えている。
【００２０】
加えて、長辺側ベース板１１には、両側部において長辺側ベース板１１の内面（起立位置では底壁部３の内周側を向き、寝かせ位置では下側を向く面）から突出する係止壁１７が設けられている。各係止壁１７には、長辺側側壁部６の横幅方向において貫通する挿入孔１８が形成されている。
【００２１】
図１、図４、図８等に示すように、各短辺側側壁部７は、短辺側土台部５の長手方向における長さとほぼ同じ横幅を有し、折畳み容器１の組立状態において当該短辺側側壁部７の内面を構成する略平板状の短辺側ベース板２１と、短辺側ベース板２１の上辺部から外方に延出する短辺側上辺リブ２２と、短辺側ベース板２１の下辺部から外方に延出する短辺側下辺リブ２３と、短辺側下辺リブ２３の下面から下方に突出し、短辺側軸受部に軸支される略Ｔ字状の短辺側ヒンジ部（図示略）とを備えている。
【００２２】
また、短辺側ベース板２１には、両側部において、短辺側ベース板２１の外面から突出する挿入突起２７（図２参照）が設けられている。挿入突起２７は、前記長辺側側壁部６の係止壁１７に形成された挿入孔１８に対応して設けられている。そして、長辺側側壁部６を起立させた後、短辺側側壁部７を起立させることで、挿入突起２７が挿入孔１８に挿入されるとともに、短辺側ベース板２１の挿入突起２７の周辺部が、係止壁１７に支持されるようになっている。
【００２３】
また、図８等に示すように、短辺側側壁部７の外面側には、短辺側上辺リブ２２の下方において、短辺側側壁部７の内倒れ等を防止するためのロック機構２８が設置されるロック機構設置部２９が設けられている。ロック機構２８は、ロック機構設置部２９の横幅方向中央部に設けられる操作部３０と、操作部３０の両側方において短辺側側壁部７の横幅方向に沿ってスライド可能に構成され、短辺側ベース板２１のうち、折畳み容器１の組立状態において長辺側側壁部６の係止壁１７に当接して支持される部位の外面側領域に対して出没可能な左右一対のスライド片３１とを備えている。
【００２４】
これに対し、長辺側側壁部６には、折畳み容器１の組立状態において、前記外面側領域に突出したスライド片３１の先端部の内面と係止される係止凸部（図示略）が設けられている。また、操作部３０を操作することによって、一対のスライド片３１が連動し、スライド片３１と係止凸部との係止状態を解除することができるようになっている。尚、スライド片３１及び操作部３０については、図示しない弾性片によって、スライド片３１と係止凸部との係止状態が維持される側に付勢されている。
【００２５】
尚、一対の短辺側土台部５間の距離は、短辺側側壁部７（短辺側ベース板２１）の高さ（上下幅）の２倍の長さよりも長くなっている。このため、一対の短辺側側壁部７の寝かせ位置の高さが揃うようになっている。その一方で、一対の長辺側土台部４間の距離は、長辺側側壁部６（長辺側ベース板１１）の高さ（上下幅）の２倍の長さよりも短くなっている。さらに、長辺側軸受部８は、寝かせ位置にある長辺側側壁部６の長辺側ヒンジ部１４の上下方向における変位を許容するように構成されている。このため、折畳み容器１を折畳む場合には、一対の長辺側側壁部６のうち一方の長辺側側壁部６を寝かせ位置へと変位させた後、他方の長辺側側壁部６を、既に寝かせ位置とされた一方の長辺側側壁部６の上方に重ねるようにして、寝かせ位置へと変位させる。つまり、一対の長辺側側壁部６は、互いに折り重なるようにして畳まれるようになっている。
【００２６】
また、図４、図５に示すように、底壁構成部２には、底壁部３のうち上面側において長辺側土台部４及び短辺側土台部５が形成されている土台形成範囲４１よりも内周側の部位の下面から下方に突出する支持リブ４２が設けられている。支持リブ４２は、土台形成範囲４１との境界部に沿って設けられる外周リブ４３と、外周リブ４３の内周側において略格子状に設けられる内周リブ４４とを備えている。
【００２７】
本実施形態では、図９に示すように、全ての側壁部６、７が起立位置とされた組立状態にある折畳み容器１同士を同じ向きで上下に積み重ねた（段積みした）場合に、上側の折畳み容器１の支持リブ４２が、下側の折畳み容器１の長辺側側壁部６及び短辺側側壁部７の内周側に挿入されるとともに、上側の折畳み容器１の底壁部３の土台形成範囲４１における下面が、下側の折畳み容器１の長辺側上辺リブ１２及び短辺側上辺リブ２２に当接して、支持されるようになっている。これにより、物品を収容した折畳み容器１を段積みして運搬・保管することが可能となっている。
【００２８】
さて、図４、図５、図７、図８等に示すように、土台形成範囲４１には、底壁部３の下面から下方に突出する底壁突部４５が設けられている。本実施形態の底壁突部４５は、支持リブ４２（外周リブ４３）から離間した位置に設けられている。また、支持リブ４２の下辺部と、底壁突部４５の下端部とが同じ高さ位置となっており、折畳み容器１を平坦な床面に設置した場合には、支持リブ４２及び底壁突部４５が接地し、底壁突部４５が支持リブ４２とともに折畳み容器１を支持する構成となっている。このように底壁突部４５が設けられることによって、土台形成範囲４１の変形等を防止することができる。
【００２９】
また、本実施形態では、土台形成範囲４１のうち、各長辺側土台部４に対応する部位においてそれぞれ４つの底壁突部４５（以下、「長辺側底壁突部４６」とも称する）が設けられ、各短辺側土台部５に対応する部位においてそれぞれ２つの底壁突部４５（以下、「短辺側底壁突部４７」とも称する）が設けられている。
【００３０】
その一方で、図１〜図３等に示すように、長辺側側壁部６の長辺側上辺リブ１２、及び、短辺側側壁部７の短辺側上辺リブ２２には、上方に開口するようにして形成され、折畳み容器１を段積みした場合に、上側に重ねられた折畳み容器１の長辺側底壁突部４６、及び、短辺側底壁突部４７が収容される長辺側収容凹部５１、及び、短辺側収容凹部５２が設けられている。このように長辺側収容凹部５１、及び、短辺側収容凹部５２が設けられることによって、土台形成範囲４１に底壁突部４５が設けられる構成であっても、上側の折畳み容器１の支持リブ４２を、下側の折畳み容器１の長辺側側壁部６及び短辺側側壁部７の内周側に挿入させるとともに、上側の折畳み容器１の底壁部３の土台形成範囲４１における下面を、下側の折畳み容器１の長辺側上辺リブ１２及び短辺側上辺リブ２２に当接させるようにして、組立状態の折畳み容器１を段積みすることができるようになっている（図９、図１０、図１３参照）。
【００３１】
尚、長辺側収容凹部５１の底面、及び、短辺側収容凹部５２の底面は、長辺側側壁部６の長辺側上辺リブ１２の上面、及び、短辺側側壁部７の短辺側上辺リブ２２の上面とほぼ平行に延在している。また、本実施形態では、長辺側上辺リブ１２及び短辺側上辺リブ２２が上支持部を構成し、底壁部３のうち土台形成範囲４１に対応する部位が下支持部を構成する。
【００３２】
加えて、図２、図３等に示すように、長辺側側壁部６、及び、短辺側側壁部７には、長辺側収容凹部５１、及び、短辺側収容凹部５２と、組立状態にある折畳み容器１の内側の収容空間（起立位置にある側壁部６、７の内周側の空間）との間を仕切る衝立壁部５３が設けられている。すなわち、長辺側収容凹部５１、及び、短辺側収容凹部５２は、上方、及び、外側に開口するようにして形成されている。また、衝立壁部５３の上辺部は、長辺側上辺リブ１２の上面、又は、短辺側上辺リブ２２の上面と面一となっている。さらに、衝立壁部５３によって、長辺側収容凹部５１、及び、短辺側収容凹部５２の底面と、両側面とが連結されるような格好となっており、これによって、長辺側収容凹部５１、及び、短辺側収容凹部５２の周辺部の剛性が高められている。
【００３３】
さて、図２、図３、図７、図１０等に示すように、本実施形態では、各長辺側側壁部６において４つずつ形成された長辺側収容凹部５１のうち、各長辺側側壁部６の両側辺部近傍に形成された一対の長辺側収容凹部５１は、長辺側上辺リブ１２のうち長辺側収容凹部５１の形成されていない部位である一般部６１から、当該一般部６１の下方に進入するようにして、長辺側側壁部６の横幅方向において下方傾斜する傾斜面により構成される長辺側係止部６２を有している。以下、長辺側係止部６２を有する長辺側収容凹部５１のことを「長辺側嵌合凹部６３」とも称する。
【００３４】
本実施形態の長辺側係止部６２は、長辺側上辺リブ１２のうち、長辺側側壁部６の側辺部から長辺側嵌合凹部６３まで延びる一般部６１の端縁から、当該一般部６１の下方に進入するようにして、長辺側側壁部６の側辺部側に向けて下方傾斜して延びている。尚、長辺側収容凹部５１の長辺側係止部６２とは反対側の内側面に関しては、長辺側収容凹部５１の底面から上方に向けて、長辺側収容凹部５１を側方に広げるようにして傾斜している。
【００３５】
また、図５、図７、図１０等に示すように、長辺側底壁突部４６のうち、組立状態にある折畳み容器１を段積みした場合に、下側の折畳み容器１の長辺側嵌合凹部６３に収容される長辺側底壁突部４６は、長辺側係止部６２と当接可能な長辺側被係止部６４を有する長辺側嵌合凸部６５として構成されている。本実施形態の長辺側嵌合凸部６５の長辺側被係止部６４は、組立状態にある折畳み容器１を段積みした場合に、下側の折畳み容器１の長辺側嵌合凹部６３の長辺側係止部６２である傾斜面に対して、ほぼ平行して延びる傾斜面によって構成されている。これにより、長辺側被係止部６４は、長辺側係止部６２と面で当接可能に構成されている。
【００３６】
また、図９、図１０に示すように、底壁構成部２の中央部及びコーナー部の位置を一致させるようにして組立状態にある折畳み容器１を段積みした場合には、下側の折畳み容器１の長辺側嵌合凹部６３の長辺側係止部６２と、上側の折畳み容器１の長辺側嵌合凸部６５の長辺側被係止部６４とが、上下に重ならないように相対配置されている。つまり、組立状態にある折畳み容器１の段積み作業に際して、底壁構成部２の中央部及びコーナー部の位置を一致させるようにして折畳み容器１を積み重ねていけば、下側の折畳み容器１の長辺側係止部６２と、上側の折畳み容器１の長辺側被係止部６４とを接触させることなく、折畳み容器１を真っ直ぐに積み上げることができるようになっている。
【００３７】
これに対し、例えば、図１１、図１２に示すように、折畳み容器１の段積み状態において、上側の折畳み容器１が、下側の折畳み容器１の長辺側側壁部６の一側辺部から側方に突出する側に向けて（底壁構成部２の長手方向に沿って）相対変位しようとした場合、（上側の折畳み容器１の支持リブ４２が、下側の折畳み容器１の側壁部６、７の内周側に収まっている範囲内で）上側の折畳み容器１の長辺側嵌合凸部６５（本実施形態では、長辺側側壁部６の前記一側辺部の近傍に形成された長辺側嵌合凹部６３に収容されている長辺側嵌合凸部６５）の長辺側被係止部６４が、下側の折畳み容器１の長辺側嵌合凹部６３の長辺側係止部６２（傾斜面）の下方に潜り込むようにして変位し、当該長辺側係止部６２に当接して係止されるようになっている。
【００３８】
尚、組立状態にある折畳み容器１の段積み状態において、上下の折畳み容器１が底壁構成部２の長手方向に相対変位する場合、上側の折畳み容器１の支持リブ４２の外周面が、下側の折畳み容器１の短辺側側壁部７の内面に当接するのとほぼ同時に、上側の折畳み容器１の長辺側嵌合凸部６５の長辺側被係止部６４が、下側の折畳み容器１の長辺側嵌合凹部６３の長辺側係止部６２に当接するように構成されている。
【００３９】
また、図２、図３、図８、図１３等に示すように、各短辺側側壁部７において２つずつ形成された短辺側収容凹部５２は、短辺側上辺リブ２２のうち短辺側収容凹部５２の形成されていない部位である一般部７１から、当該一般部７１の下方に進入するようにして、短辺側側壁部７の横幅方向において下方傾斜する傾斜面により構成される短辺側係止部７２を有している。以下、短辺側係止部７２を有する短辺側収容凹部５２のこと（本例では、全ての短辺側収容凹部５２がこれに相当する）を「短辺側嵌合凹部７３」とも称する。
【００４０】
本実施形態の短辺側係止部７２は、短辺側上辺リブ２２のうち、短辺側側壁部７の側辺部から短辺側嵌合凹部７３まで延びる一般部７１の端縁から、当該一般部７１の下方に進入するようにして、短辺側側壁部７の側辺部側に向けて下方傾斜して延びている。尚、短辺側収容凹部５２の短辺側係止部７２とは反対側の内側面に関しては、短辺側収容凹部５２の底面から上方に向けて、短辺側収容凹部５２を側方に広げるようにして傾斜している。
【００４１】
また、図５、図８、図１３等に示すように、組立状態にある折畳み容器１を段積みした場合に、下側の折畳み容器１の短辺側嵌合凹部７３に収容される短辺側底壁突部４７（本例では、全ての短辺側底壁突部４７）は、短辺側係止部７２と当接可能な短辺側被係止部７４を有する短辺側嵌合凸部７５として構成されている。本実施形態の短辺側嵌合凸部７５の短辺側被係止部７４は、組立状態にある折畳み容器１を段積みした場合に、下側の折畳み容器１の短辺側嵌合凹部７３の短辺側係止部７２である傾斜面に対して、平行、又は、ほぼ平行して延びる傾斜面によって構成されている。これにより、短辺側被係止部７４は、短辺側係止部７２と面で当接可能に構成されている。
【００４２】
また、図１３に示すように、底壁構成部２の中央部及びコーナー部の位置を一致させるようにして組立状態にある折畳み容器１を段積みした場合には、下側の折畳み容器１の短辺側嵌合凹部７３の短辺側係止部７２と、上側の折畳み容器１の短辺側嵌合凸部７５の短辺側被係止部７４とが、上下に重ならないように相対配置されている。つまり、組立状態にある折畳み容器１の段積み作業に際して、底壁構成部２の中央部及びコーナー部の位置を一致させるようにして折畳み容器１を積み重ねていけば、下側の折畳み容器１の短辺側係止部７２と、上側の折畳み容器１の短辺側被係止部７４とを接触させることなく、折畳み容器１を真っ直ぐに積み上げることができるようになっている。
【００４３】
これに対し、例えば、図１４に示すように、折畳み容器１の段積み状態において、上側の折畳み容器１が、下側の折畳み容器１の短辺側側壁部７の一側辺部から側方に突出する側に向けて（底壁構成部２の短手方向に沿って）相対変位しようとした場合、（上側の折畳み容器１の支持リブ４２が、下側の折畳み容器１の側壁部６、７の内周側に収まっている範囲内で）上側の折畳み容器１の短辺側嵌合凸部７５（本実施形態では、短辺側側壁部７の前記一側辺部の近傍に形成された短辺側嵌合凹部７３に収容されている短辺側嵌合凸部７５）の短辺側被係止部７４が、下側の折畳み容器１の短辺側嵌合凹部７３の短辺側係止部７２（傾斜面）の下方に潜り込むようにして変位し、当該短辺側係止部７２に当接して係止されるようになっている。
【００４４】
尚、組立状態にある折畳み容器１の段積み状態において、上下の折畳み容器１が底壁構成部２の短手方向に相対変位する場合、上側の折畳み容器１の支持リブ４２の外周面が、下側の折畳み容器１の長辺側側壁部６の内面に当接するのとほぼ同時に、上側の折畳み容器１の短辺側嵌合凸部７５の短辺側被係止部７４が、下側の折畳み容器１の短辺側嵌合凹部７３の短辺側係止部７２に当接するように構成されている。
【００４５】
加えて、図６に示すように、長辺側土台部４は、寝かせ位置とされた一対の長辺側側壁部６よりも上方にまで突出している。また、図１５に示すように、本実施形態では、折畳み状態にある折畳み容器１についても段積みすることができるように構成されている。すなわち、折畳み状態にある折畳み容器１を段積みすることにより、上側の折畳み容器１の支持リブ４２が、下側の折畳み容器１の一対の長辺側土台部４の間に挿入されるとともに、上側の折畳み容器１の底壁部３のうち土台形成範囲４１の下面が、下側の折畳み容器１の長辺側土台部４の上辺部に当接して、支持されるように構成されている。
【００４６】
さらに、長辺側土台部４の上辺部には、折畳み状態にある折畳み容器１を段積みした場合に、上側の折畳み容器１の長辺側底壁突部４６を収容するための構成が設けられている。より具体的には、長辺側底壁突部４６のうち長辺側嵌合凸部６５については、長辺側土台部４において上方及び内側に開口するようにして形成された長辺側軸受部８（図６参照）に収容されるように構成されている。また、その他の長辺側底壁突部４６については、長辺側土台部４において、上方及び外側に開口するようにして形成された折畳み時収容凹部８１（図６参照）に収容されるように構成されている。
【００４７】
以上詳述したように、本実施形態によれば、組立状態にある折畳み容器１を段積みした場合に、上側の折畳み容器１の底壁部３のうち土台形成範囲４１から下方に突出する長辺側底壁突部４６及び短辺側底壁突部４７が、下側の折畳み容器１の長辺側側壁部６及び短辺側側壁部７の長辺側上辺リブ１２及び短辺側上辺リブ２２に形成された長辺側収容凹部５１及び短辺側収容凹部５２に収容されるよう構成されている。このため、土台形成範囲４１やその周辺部の剛性を高めたり、変形を抑制したりするべく、土台形成範囲４１に底壁突部４５を設ける構成であっても、折畳み容器１を段積みすることができる。
【００４８】
さらに、長辺側収容凹部５１及び短辺側収容凹部５２のなかには、長辺側上辺リブ１２及び短辺側上辺リブ２２のうち長辺側収容凹部５１及び短辺側収容凹部５２の形成されていない一般部６１、７１から、当該一般部６１、７１の下方に進入するようにして、長辺側側壁部６又は短辺側側壁部７の横幅方向において下方傾斜する傾斜面により構成された長辺側係止部６２又は短辺側係止部７２を有する長辺側嵌合凹部６３又は短辺側嵌合凹部７３として構成されるものが存在する。
【００４９】
これに対し、組立状態にある折畳み容器１を段積みした場合に、下側の折畳み容器１の長辺側嵌合凹部６３又は短辺側嵌合凹部７３に収容される長辺側底壁突部４６及び短辺側底壁突部４７については、長辺側係止部６２又は短辺側係止部７２と当接可能な長辺側被係止部６４又は短辺側被係止部７４を有する長辺側嵌合凸部６５又は短辺側嵌合凸部７５として構成されている。
【００５０】
このため、例えば、組立状態で段積みされた折畳み容器１のうち、下側の折畳み容器１を動かないように押さえたまま、上側の折畳み容器１を底壁構成部２の長手方向において略水平に変位させようとした（側方に引っ張る等した）場合、上側の折畳み容器１の長辺側嵌合凸部６５の長辺側被係止部６４が、下側の折畳み容器１の長辺側嵌合凹部６３の長辺側係止部６２（傾斜面）の下方に潜り込むようにして変位し、当該長辺側係止部６２に当接して係止されることとなる。もちろん、段積みされた折畳み容器１を底壁構成部２の短手方向に位置ずれさせようとした場合には、上側の折畳み容器１の短辺側被係止部７４と、下側の折畳み容器１の短辺側係止部７２とが当接して係止されることとなる。このように、長辺側被係止部６４及び短辺側被係止部７４が、長辺側係止部６２又は短辺側被係止部７４に係止されることにより、長辺側被係止部６４及び短辺側被係止部７４の横方向への相対変位だけでなく、上方向への相対変位についても規制されることとなる。従って、上側の折畳み容器１の長辺側底壁突部４６、短辺側底壁突部４７、及び、底壁構成部２の支持リブ４２が、下側の折畳み容器１の長辺側収容凹部５１、及び、短辺側収容凹部５２や、側壁部６、７の内周側から抜け出すような、下側の折畳み容器１に対する上側の折畳み容器１の相対変位（浮き上がり）を防止することができる。このため、例えば、段積み状態の折畳み容器１を、ローラコンベアやベルトコンベア等の運搬装置に載せて運搬する場合等において、下側の折畳み容器１が運搬装置のストッパに突き当たる等した場合に、上側の折畳み容器１に作用する慣性力によって上側の折畳み容器１が、下側の折畳み容器１の前方に飛び出すようにして、折畳み容器１の段積み状態が崩れてしまうといった事態を防止することができる。結果として、折畳み容器１の段積み状態の安定化を図ることができ、段積みされた折畳み容器１、ひいては、折畳み容器１に収容された物品を運搬する際の安全性の向上や、運搬作業性の向上等を図ることができる。
【００５１】
さらに、長辺側係止部６２、及び、短辺側係止部７２は傾斜面によって構成されているため、折畳み容器１の段積み状態を解除するべく、上側の折畳み容器１を持ち上げた場合に、長辺側係止部６２及び短辺側係止部７２と、長辺側被係止部６４及び短辺側被係止部７４とが当接した状態でも、長辺側被係止部６４及び短辺側被係止部７４が、長辺側係止部６２及び短辺側係止部７２である傾斜面に案内されるようにして、長辺側嵌合凸部６５及び短辺側嵌合凸部７５が、長辺側嵌合凹部６３及び短辺側嵌合凹部７３から抜け出す方向に相対移動することとなる。従って、例えば、長辺側係止部６２、短辺側係止部７２、及び、長辺側被係止部６４、短辺側被係止部７４が鉤状に構成される場合のように、折畳み容器１の段積み状態を解除する作業に際して、上側の折畳み容器１を持ち上げた場合に、長辺側係止部６２又は短辺側係止部７２と、長辺側被係止部６４又は短辺側被係止部７４とが係止されていることで、下側の折畳み容器１についても引っ掛かって持ち上げられてしまうといった事態を防止することができる。これにより、引っ掛けられた下側の折畳み容器１がある程度持ち上げられた後、係止状態が解除されて落下してしまったり、或いは、長辺側係止部６２及び短辺側係止部７２や、長辺側被係止部６４及び短辺側被係止部７４が下側の折畳み容器１の重さを支えきれずに損傷してしまったりするといった事態を回避することができる。結果として、折畳み容器１の段積み状態を解除する作業に際して、上側の折畳み容器１を比較的スムースに持ち上げることができ、作業性の向上等を図ることができる。
【００５２】
特に、本実施形態では、長辺側被係止部６４及び短辺側被係止部７４は、組立状態にある折畳み容器１を段積みした場合に、下側の折畳み容器１の長辺側係止部６２及び短辺側係止部７２の傾斜面に対して、ほぼ平行して延びる傾斜面により構成されている。このため、組立状態にある折畳み容器１の段積み状態において、上側の折畳み容器１が下側の折畳み容器１に対して横方向に相対変位しようとした場合に、長辺側被係止部６４又は短辺側被係止部７４と、長辺側係止部６２又は短辺側係止部７２とが面で当接する。これにより、長辺側係止部６２又は短辺側係止部７２が、長辺側被係止部６４又は短辺側被係止部７４を面で支持することができ、長辺側係止部６２及び短辺側係止部７２や長辺側被係止部６４及び短辺側被係止部７４の損傷等を防止し、より確実に位置ずれを防止することができる。
【００５３】
加えて、例えば、長辺側被係止部６４及び短辺側被係止部７４が鉤状に構成される場合に比べ、底壁構成部２の型成形に際し、長辺側被係止部６４及び短辺側被係止部７４が極端なアンダーカット形状とされてしまうことを回避することができる。従って、金型形状の簡素化、製造性の向上等を図ることができる。
【００５４】
また、底壁構成部２の中央部及びコーナー部の位置を一致させるようにして組立状態にある折畳み容器１を段積みした場合に、下側の折畳み容器１の長辺側嵌合凹部６３及び短辺側嵌合凹部７３の長辺側係止部６２及び短辺側係止部７２と、上側の折畳み容器１の長辺側嵌合凸部６５及び短辺側嵌合凸部７５の長辺側被係止部６４及び短辺側被係止部７４とが、上下に重ならないように相対配置されている。
【００５５】
このため、例えば、底壁構成部２の中央部及びコーナー部の位置を一致させるようにして折畳み容器１を段積みした場合に、下側の折畳み容器１の長辺側係止部６２及び短辺側係止部７２と、上側の折畳み容器１の長辺側被係止部６４及び短辺側被係止部７４とが、上下に重なってしまう構成のように、組立状態にある折畳み容器１の段積み作業に際して、折畳み容器１の上側に積み重ねる折畳み容器１を鉛直に下げるようにして載せるだけでは作業が終わらなかったり（真っ直ぐに積み上げるためには、わざと横にずらして載せてからスライドさせなくてはならない）、下側の折畳み容器１の長辺側係止部６２及び短辺側係止部７２と、上側の折畳み容器１の長辺側被係止部６４及び短辺側被係止部７４とが干渉して、上側の折畳み容器１の底壁構成部２の支持リブ４２が、下側の側壁部６、７の内周側に嵌り難くなってしまったりするといった事態を回避することができる。さらには、折畳み容器１の段積み作業に際して、長辺側係止部６２及び短辺側係止部７２と、長辺側被係止部６４及び短辺側被係止部７４との接触を低減させることができる。従って、段積み作業性の向上、及び、損傷リスクの抑制等を図ることができる。
【００５６】
加えて、短辺側側壁部７に比べて横幅が広い長辺側側壁部６に形成された一対の長辺側嵌合凹部６３は、長辺側側壁部６の側辺部近傍部位に形成されている。このため、長辺側側壁部６の横幅方向中央部に比べて、長辺側側壁部６自体の変形が生じ難い長辺側側壁部６の側辺部近傍部位に対し長辺側嵌合凹部６３を形成することによって、長辺側係止部６２と長辺側被係止部６４との係止状態の安定化等を図ることができる。
【００５７】
さらに、本実施形態では、長辺側係止部６２や短辺側係止部７２は、長辺側上辺リブ１２のうち長辺側側壁部６の側辺部から長辺側嵌合凹部６３にまで延びる一般部６１や、短辺側上辺リブ２２のうち短辺側側壁部７の側辺部から短辺側嵌合凹部７３にまで延びる一般部７１と連接する側に形成されている。これにより、例えば、組立状態にある折畳み容器１のうち、上側の折畳み容器１が、下側の折畳み容器１の長手方向の一方側に相対変位した場合、上側の折畳み容器１の変位方向先方側に設けられた長辺側嵌合凸部６５の長辺側被係止部６４が、下側の折畳み容器１の長辺側嵌合凹部６３の長辺側係止部６２に係止されることとなる。すなわち、上側の折畳み容器１が、下側の折畳み容器１の長手方向の一方側に相対変位して、下側の折畳み容器１から側方に突出してしまうような場合には、上側の折畳み容器１の支持リブ４２の移動方向先方側の部位が、下側の折畳み容器１の短辺側側壁部７に載り上げるようにして変位することとなるが、本実施形態のように、上側の折畳み容器１の移動方向先方側の部位において、長辺側被係止部６４が長辺側係止部６２に係止されることで、かかる上側の折畳み容器１の移動方向先方側の動作をより効果的に規制することができる。
【００５８】
また、本実施形態では、側壁部６、７を折畳み可能な折畳み容器１に具体化されており、例えば、組立状態にある折畳み容器１の段積み状態において、上側の折畳み容器１が下側の折畳み容器１に対して横方向に相対変位するような力が作用した場合に、下側の折畳み容器１の短辺側側壁部７、又は、長辺側側壁部６が、上側の折畳み容器１の支持リブ４２と当接するとともに、下側の折畳み容器１の長辺側嵌合凹部６３の長辺側係止部６２、又は、短辺側嵌合凹部７３の短辺側係止部７２が、上側の折畳み容器１の長辺側嵌合凸部６５の長辺側被係止部６４、又は、短辺側嵌合凸部７５の短辺側被係止部７４と当接する。つまり、下側の折畳み容器１の短辺側側壁部７又は長辺側側壁部６と、長辺側係止部６２又は短辺側係止部７２とが協働して、上側の折畳み容器１の相対変位を規制することとなる。このため、例えば、下側の折畳み容器１の側壁部６、７だけで、上側の折畳み容器１の横方向における相対変位を規制する構成に比べて、かかる下側の折畳み容器１の側壁部６、７の負担を軽減することができ、下側の折畳み容器１の側壁部６、７や、該側壁部６、７の外側への変位（外倒れ）を防止する構成（係止壁１７、挿入突起２７、長辺側土台部４の上辺部、長辺側側壁部６の長辺側下辺リブ１３等）の損傷リスクの低減等を図ることができる。
【００５９】
さらに、長辺側係止部６２及び短辺側係止部７２と、長辺側被係止部６４及び短辺側被係止部７４とが係止可能な構成を具備することにより、折畳み容器１を段積みした場合に、下側の折畳み容器１の側壁部６、７の内周側に進入する部位である支持リブ４２の上下幅（高さ）を短くしても、段積みされた折畳み容器１の横方向における所定長以上の位置ずれを確実に防止することができる。従って、全ての側壁部６、７を寝かせ位置とした折畳み状態にある折畳み容器１を段積みする場合に、支持リブ４２の上下幅が長くなることに起因して、段積みされた複数の折畳み容器１全体の高さが高くなってしまうといった事態を回避することができる。結果として、折畳み状態にある折畳み容器１の運搬・保管効率の向上等を図ることができる。
【００６０】
尚、上記実施形態の記載内容に限定されず、例えば次のように実施してもよい。勿論、以下において例示しない他の応用例、変更例も当然可能である。
【００６１】
（ａ）上記実施形態では、長辺側収容凹部５１や短辺側収容凹部５２の数や形成位置等は特に限定されるものではなく、折畳み容器１の大きさや形状等に応じて適宜変更可能である。例えば、上記実施形態では、長辺側側壁部６の一側辺部の近傍に形成された長辺側嵌合凹部６３の内側面のうち、長辺側側壁部６の前記一側辺部側に位置する内側面が、長辺側側壁部６の前記一側辺部側に向けて下方傾斜する傾斜面とされることで、長辺側係止部６２として構成されるようになっているが、図１６に示すように、長辺側側壁部６の一側辺部の近傍に形成された長辺側嵌合凹部６３の内側面のうち、長辺側側壁部６の前記一側辺部とは反対の他側辺部側に位置する内側面が、長辺側側壁部６の前記他側辺部側に向けて下方傾斜する傾斜面とされることで、長辺側係止部６２として構成されるよう構成してもよい。
【００６２】
さらに、長辺側係止部６２及び短辺側係止部７２の傾斜角度や、長辺側被係止部６４及び短辺側被係止部７４の形状についても特に限定されるものではなく、例えば、長辺側被係止部６４及び短辺側被係止部７４を鉤状に形成してもよい。
【００６３】
（ｂ）また、長辺側収容凹部５１や短辺側収容凹部５２のうち、長辺側嵌合凹部６３や短辺側嵌合凹部７３として構成される数等についても特に限定されるものではない。例えば、短辺側側壁部７において、短辺側嵌合凹部７３ではない短辺側収容凹部５２を増設してもよい。尚、長辺側側壁部６や短辺側側壁部７の横幅が比較的広く構成される場合には、長辺側側壁部６自体の変形や短辺側側壁部７自体の変形の影響を受けることを抑制するべく、長辺側収容凹部５１や短辺側収容凹部５２を側壁部６、７の側辺部近傍部位に設けることが望ましい。
【００６４】
加えて、上記実施形態では、長辺側側壁部６及び短辺側側壁部７のどちらにも長辺側嵌合凹部６３及び短辺側嵌合凹部７３が形成されているが、どちらか一方に形成されていることとしてもよい。さらに、上記実施形態では、各長辺側側壁部６及び各短辺側側壁部７において、傾斜の向きが反対となっている長辺側係止部６２、又は、短辺側係止部７２を有する一対の長辺側嵌合凹部６３、又は、一対の短辺側嵌合凹部７３が形成されるよう構成されているが、長辺側係止部６２の傾斜の向きや、短辺側係止部７２の傾斜の向きが統一されていてもよいし、各長辺側側壁部６及び各短辺側側壁部７において、長辺側嵌合凹部６３及び短辺側嵌合凹部７３を１つずつ設けるように構成してもよい。すなわち、折畳み容器１の用途に応じて、適宜、必要な長辺側嵌合凹部６３や短辺側嵌合凹部７３を形成する（例えば、ローラコンベア等の運搬装置に対して、折畳み容器１を、必ず、折畳み容器１の長手方向と、折畳み容器１の運搬方向とを一致させるようにして載せるような場合には、長辺側嵌合凹部６３だけ形成する等）ことが可能である。
【００６５】
（ｃ）また、長辺側嵌合凹部６３及び短辺側嵌合凹部７３の長辺側係止部６２及び短辺側係止部７２（傾斜面）と、長辺側上辺リブ１２及び短辺側上辺リブ２２の一般部６１、７１の上面との境界部は先鋭状に形成されていなくてもよい。従って、例えば、長辺側係止部６２及び短辺側係止部７２（傾斜面）と、一般部６１、７１との境界部をＲ形状や面取り形状に構成してもよい。これらの構成を採用する場合、長辺側嵌合凹部６３又は短辺側嵌合凹部７３の長辺側係止部６２又は短辺側係止部７２と、一般部６１、７１との境界部の損傷等を抑制することができる。
【００６６】
（ｄ）さらに、底壁突部４５の形成位置や数についても特に限定されるものではなく、適宜、変更可能である。加えて、上記実施形態では、支持リブ４２の下辺部と、底壁突部４５の下端部とが同じ高さ位置とされているが、例えば、底壁突部４５の下端部が支持リブ４２の下辺部よりも上方に位置するように構成してもよい。但し、底壁突部４５が支持リブ４２とともに接地する構成とすることで、土台形成範囲４１の変形等を抑制することができる。
【００６７】
（ｅ）また、上記実施形態では、長辺側収容凹部５１及び短辺側収容凹部５２が、それぞれ長辺側側壁部６及び短辺側側壁部７において、上方、及び、外側に開口するようにして形成されているが、上方、及び、内側に開口するようにして形成されることとしてもよい。尚、長辺側収容凹部５１及び短辺側収容凹部５２と、側壁部６、７の内周側の空間とを仕切る壁部（衝立壁部５３）の高さを、長辺側上辺リブ１２及び短辺側上辺リブ２２の上面よりも低くしてもよい。さらに、かかる構成を採用する場合には、底壁突部４５と支持リブ４２との間を連結し、底壁突部４５よりも底壁部３からの突出長が短く構成され、組立状態にある折畳み容器１の段積み状態において、下側の折畳み容器１の衝立壁部５３に対して、該衝立壁部５３の直上方で交差して延びる補強リブを設けることとしてもよい。
【００６８】
（ｆ）上記実施形態では、長辺側土台部４の底壁部３からの突出長が、短辺側土台部５の底壁部３からの突出長よりも長く、折畳み容器１の折畳み状態において、短辺側側壁部７が、長辺側側壁部６の下方に折り畳まれるように構成されているが、短辺側土台部５の突出長の方を長くして、短辺側側壁部７が長辺側側壁部６の上方に折り畳まれるように構成してもよい。また、上記実施形態では、底壁部３が長辺部と短辺部とを有する略矩形状に構成されているが、平面視略正方形状に構成されてもよい。
【００６９】
（ｇ）上記実施形態において、長辺側土台部４に形成される折畳み時収容凹部８１において、長辺側土台部４の上辺部の折畳み時収容凹部８１側の端縁から、該長辺側土台部４の上辺部の下方に進入するようにして、長辺側側壁部６の横幅方向（長辺側土台部４の長手方向）において下方傾斜する傾斜面により構成される係止部を形成することとしてもよい。さらに、かかる構成を採用する場合には、折畳み状態の折畳み容器１を段積みした場合に、下側の折畳み容器１の折畳み時収容凹部８１に収容される長辺側底壁突部４６が、前記折畳み時収容凹部８１の係止部と当接可能な長辺側被係止部６４を有する長辺側嵌合凸部６５とされるように構成する。この場合、折畳み状態にある折畳み容器１の段積み状態において、折畳み容器１が底壁構成部２の長手方向において位置ずれしてしまう（段積み状態が崩れてしまう）といった事態をより確実に防止することができる。
【００７０】
（ｈ）上記実施形態では、折畳み容器１はポリプロピレンにより構成されているが、ポリエチレン、ＰＥＴ、ポリアミド等その他の樹脂材料により構成されることとしてもよい。
【符号の説明】
【００７１】
１…折畳み容器、２…底壁構成部、３…底壁部、４…長辺側土台部、５…短辺側土台部、６…長辺側側壁部、７…短辺側側壁部、４１…土台形成範囲、４２…支持リブ、４５…底壁突部、４６…長辺側底壁突部、４７…短辺側底壁突部、５１…長辺側収容凹部、５２…短辺側収容凹部、５３…衝立壁部、６１…一般部、６２…長辺側係止部、６３…長辺側嵌合凹部、６４…長辺側被係止部、６５…長辺側嵌合凸部、７１…一般部、７２…短辺側係止部、７３…短辺側嵌合凹部、７４…短辺側被係止部、７５…短辺側嵌合凸部。
【図１】
0006468870.tif 000002
【図２】
0006468870.tif 000003
【図３】
0006468870.tif 000004
【図４】
0006468870.tif 000005
【図５】
0006468870.tif 000006
【図６】
0006468870.tif 000007
【図７】
0006468870.tif 000008
【図８】
0006468870.tif 000009
【図９】
0006468870.tif 000010
【図１０】
0006468870.tif 000011
【図１１】
0006468870.tif 000012
【図１２】
0006468870.tif 000013
【図１３】
0006468870.tif 000014
【図１４】
0006468870.tif 000015
【図１５】
0006468870.tif 000016
【図１６】
0006468870.tif 000017
【図１７】
0006468870.tif 000018
【図１８】
0006468870.tif 000019